(57)【特許請求の範囲】
【請求項１】
樹脂チューブの端部が嵌め合わされるチューブ装着部を有する継手本体と、前記継手本体にねじ合わされるナットとを備える樹脂チューブ用継手であって、
前記ナットは、前記継手本体のおねじ部にねじ合わされるめねじ部が内周に設けられた大径円筒部と、前記大径円筒部に連なり前記継手本体との間で前記樹脂チューブを挟持する小径円筒部とを有しており、
前記小径円筒部の内周の少なくとも一部に、テーパ面が設けられているとともに、前記チューブ装着部の先端側の外周にテーパ面およびこれに連なる円周面が設けられており、前記ナットを前記継手本体に締め付けた状態において、前記小径円筒部の前記テーパ面が前記チューブ装着部の前記円周面に径方向外側から対向しており、前記小径円筒部の前記テーパ面と前記チューブ装着部の前記円周面との間で前記樹脂チューブが挟持され、
前記小径円筒部の前記テーパ面のテーパ角度は、前記チューブ装着部の前記テーパ面のテーパ角度よりも小さくなされている樹脂チューブ用継手。
【請求項２】
前記ナットの前記小径円筒部の内周に、前記テーパ面の径が小さい方の端に連なる円筒面が設けられており、前記小径円筒部の前記円筒面と前記テーパ面との境界部は、前記ナットを前記継手本体に締め付けていくことにより、前記チューブ装着部の前記テーパ面と前記円周面との境界部に近づくように形成されている請求項１の樹脂チューブ用継手。
【請求項３】
樹脂チューブの端部が嵌め合わされるチューブ装着部を有する継手本体と、前記継手本体にねじ合わされるナットとを備える樹脂チューブ用継手であって、
前記ナットは、前記継手本体のおねじ部にねじ合わされるめねじ部が内周に設けられた大径円筒部と、前記大径円筒部に連なり前記継手本体との間で前記樹脂チューブを挟持する小径円筒部とを有しており、
前記小径円筒部の内周の少なくとも一部に、テーパ面が設けられているとともに、前記チューブ装着部の先端側の外周にテーパ面およびこれに連なる円周面が設けられており、前記ナットを前記継手本体に締め付けた状態において、前記小径円筒部の前記テーパ面が前記チューブ装着部の前記円周面に径方向外側から対向しており、前記小径円筒部の前記テーパ面と前記チューブ装着部の前記円周面との間で前記樹脂チューブが挟持され、
前記ナットの前記小径円筒部の内周に、前記テーパ面の径が小さい方の端に連なる円筒面が設けられており、前記小径円筒部の前記円筒面と前記テーパ面との境界部は、前記ナットを前記継手本体に締め付けていくことにより、前記チューブ装着部の前記テーパ面と前記円周面との境界部に近づくように形成されている樹脂チューブ用継手。
【発明の詳細な説明】
【技術分野】
【０００１】
この発明は、樹脂チューブ用継手に関する。
【背景技術】
【０００２】
樹脂チューブ用継手として、樹脂チューブの端部が嵌め合わされるタケノコ状のチューブ装着部を有するステンレス鋼製継手本体と、継手本体にねじ合わされるステンレス鋼製ナットと、ナットの内周に嵌め入れられて継手本体との間で樹脂チューブを挟持する環状のスリーブとを備えたものが知られている（特許文献１）。
【先行技術文献】
【特許文献】
【０００３】
【特許文献１】特開２００７−３０９５０３号公報
【発明の概要】
【発明が解決しようとする課題】
【０００４】
上記特許文献１の樹脂チューブ用継手では、樹脂チューブ抜け止め用部材としてのスリーブが必須とされており、部品数が多くなるとともに、組立てに手間が掛かるという問題があった。
【０００５】
この発明の目的は、部品数を低減するとともに、組立ての手間も少なくした樹脂チューブ用継手を提供することにある。
【課題を解決するための手段】
【０００６】
この発明による樹脂チューブ用継手は、樹脂チューブの端部が嵌め合わされるチューブ装着部を有する継手本体と、前記継手本体にねじ合わされるナットとを備える樹脂チューブ用継手であって、前記ナットは、前記継手本体のおねじ部にねじ合わされるめねじ部が内周に設けられた大径円筒部と、前記大径円筒部に連なり前記継手本体との間で前記樹脂チューブを挟持する小径円筒部とを有しており、前記小径円筒部の内周の少なくとも一部に、テーパ面が設けられているとともに、前記チューブ装着部の先端側の外周にテーパ面およびこれに連なる円周面が設けられており、前記ナットを前記継手本体に締め付けた状態において、前記小径円筒部の前記テーパ面が前記チューブ装着部の前記円周面に径方向外側から対向しており、前記小径円筒部の前記テーパ面と前記チューブ装着部の前記円周面との間で前記樹脂チューブが挟持され、前記小径円筒部の前記テーパ面のテーパ角度は、前記チューブ装着部の前記テーパ面のテーパ角度よりも小さくなされているものである。
【０００７】
チューブ装着部は、例えばタケノコ状と称されているもの（外周に複数のテーパ面を備えているもの）とされ、ここに樹脂チューブの端部が嵌め合わされる。樹脂チューブは、テーパ面によってチューブ装着部から抜けにくいものとされるものの、大きな力が作用すると、抜けるおそれがある。そこで、従来の樹脂チューブ用継手では、樹脂チューブの抜けを確実に防止するために、継手本体との間で樹脂チューブを挟持する樹脂チューブ抜け止め用部材としてのスリーブまたリングが必須とされていた。この発明による樹脂チューブ用継手では、この樹脂チューブ抜け止め用部材が不要とされて、ナットの小径円筒部が継手本体との間で樹脂チューブを挟持するものとされる。
【０００８】
ナットの小径円筒部の内周は、全てが円筒面とされるのではなく、その少なくとも一部にテーパ面が設けられているものとされる。ナットの小径円筒部の内周は、全てがテーパ面であってもよいが、好ましくは、ナット基端側の円筒面と、ナット先端側のテーパ面とを備えているものとされる。
【０００９】
ナットが継手本体に締め付けられると、樹脂チューブは、テーパ面から樹脂チューブに作用する力によって、樹脂チューブ用継手に強固に保持される。
【００１０】
チューブ装着部の外周に、先端側のテーパ面およびこれに連なる円周面が設けられており、ナットを継手本体に締め付けた状態において、ナットのテーパ面がチューブ装着部の円周面に径方向外側から対向していることが好ましい。
【００１１】
チューブ装着部は、例えば、２つのテーパ部（外周がテーパ面とされた部分）の間に、円筒部（外周が円筒面とされた部分）があるものとされる。ナットのテーパ面がチューブ装着部の円周面に径方向外側から対向しているようにすることで、樹脂チューブは、ナットのテーパ面とチューブ装着部の円筒面との間で挟持され、樹脂チューブの抜けがより確実に防止される。
【００１２】
ナットのテーパ面のテーパ角度は、チューブ装着部のテーパ面のテーパ角度よりも小さいことがより好ましい。
【００１３】
ナットのテーパ面のテーパ角度がチューブ装着部のテーパ面のテーパ角度よりも小さいものとすることで、ナットの締付けの際、樹脂チューブに傷が付きにくいものとできる。
【発明の効果】
【００１４】
この発明の樹脂チューブ用継手によると、上記のように、スリーブなどの樹脂チューブ抜け止め用部材を不要として、樹脂チューブの抜けを確実に防止することができるので、部品数を低減するとともに、組立ての手間も少なくすることができる。
【図面の簡単な説明】
【００１５】
【図１】図１は、この発明による樹脂チューブ用継手の１実施形態の縦断面図である。
【図２】図２は、樹脂チューブが装着された状態の縦断面図である。
【発明を実施するための形態】
【００１６】
この発明の実施の形態を、以下図面を参照して説明する。以下の説明において、図１の左右を左右というものとする。
【００１７】
図１および図２は、この発明による樹脂チューブ用継手の１実施形態を示している。
【００１８】
樹脂チューブ用継手(1)は、樹脂チューブ(T)が装着されるステンレス鋼製継手本体(2)と、継手本体(2)に右側からねじ合わされて樹脂チューブ(T)の外れを防止するステンレス鋼製ナット(3)とを備えている。
【００１９】
継手本体(2)のステンレス鋼は、ＳＵＳ３１６などとされ、ナット(3)のステンレス鋼は、ＳＵＳ３０４などとされる。また、継手本体(2)のステンレス鋼はＳＵＳ３０４とされ、ナット(3)のステンレス鋼はＳＵＳ３１６としてもよい。継手本体(2)およびナット(3)は、ステンレス鋼以外の金属であってもよい。また、樹脂チューブ(T)の樹脂は、フッ素樹脂などとされる。
【００２０】
継手本体(2)は、大径円筒部(11)と、大径円筒部(11)の右側に連なる小径円筒部(12)と、小径円筒部(12)の右側に連なるタケノコ状のチューブ装着部(13)とを備えている。
【００２１】
大径円筒部(11)の外周には、左端（基端側）から右方にのびるおねじ部(11a)が設けられている。
【００２２】
小径円筒部(12)は、外径および内径ともに、大径円筒部(11)よりも小さいものとされている。小径円筒部(12)の外周には、右端（先端側）から左方にのびるおねじ部(12a)が設けられている。
【００２３】
大径円筒部(11)と小径円筒部(12)との境界部分の外周には、断面六角形のフランジ部(14)が設けられている。
【００２４】
チューブ装着部(13)は、内径が小径円筒部(12)に等しく、外径が小径円筒部(12)よりも小さいものとされている。
【００２５】
チューブ装着部(13)の外周には、先端側および基端側の２つのテーパ面(15)(16)と、これらのテーパ面(15)(16)の間にある円筒面(17)とが形成されている。
【００２６】
先端側テーパ面(15)および基端側テーパ面(16)は、いずれも、左方（基端側）に行くに連れて径が大きくなるテーパ面とされている。円筒面(17)は、右端（先端側）が先端側テーパ面(15)の左端（径が最大となっている面）に連なり、左端（基端側）が段差面(18)を介して基端側テーパ面(16)の右端（径が最小となっている面）に連なっている。基端側テーパ面(16)の左端（径が最大となっている面）は、これより外径が大きい小径円筒部(12)の外周面に段差面(12a)を介して連なっている。
【００２７】
ナット(3)は、左側（先端側）の大径円筒部(21)と、大径円筒部(21)の右側に連なり、内径が大径円筒部(21)よりも小さい右側（基端側）の小径円筒部(22)とからなる。
【００２８】
大径円筒部(21)の内周には、左端（ナット先端）から右側（ナット基端側）にのびるめねじ部(21a)が設けられている。
【００２９】
小径円筒部(22)の内周は、右側（ナット基端側）の円筒面(23)と、左側（ナット先端側）のテーパ面(24)とからなる。
【００３０】
テーパ面(24)は、円筒面(23)との境界からナット先端側に行くに連れて径が大きくなるように形成されている。
【００３１】
ナット(3)が継手本体(2)に締め付けられている状態において、ナット(3)の小径円筒部(22)の円筒面(23)は、チューブ装着部(13)の先端側テーパ面(15)に径方向外側から対向するようになされ、ナット(3)の小径円筒部(22)のテーパ面(24)は、チューブ装着部(13)の円筒面(17)に径方向外側から対向するようになされている。図１から分かるように、小径円筒部(22)の円筒面(23)とテーパ面(24)との境界部は、チューブ装着部(13)のテーパ面(15)と円周面(17)との境界部に対して、若干右側に位置させられている。したがって、ナット(3)を図１の左側に移動させて、継手本体(2)に締め付けていく際には、小径円筒部(22)の円筒面(23)とテーパ面(24)との境界部がチューブ装着部(13)のテーパ面(15)と円周面(17)との境界部に近づくようになされている。
【００３２】
樹脂チューブ(T)は、右側からチューブ装着部(13)に装着され、図２に示すように、樹脂チューブ(T)の左端部がチューブ装着部(13)に嵌められた状態で、ナット(3)が継手本体(2)にねじ合わされる。これにより、樹脂チューブ(T)の左端部近傍がチューブ装着部(13)とナット(3)の小径円筒部(22)との間に挟持される。
【００３３】
ナットが従来のものと同様、すなわち、テーパ面(24)を有していないものの場合、挟持が十分でなく、樹脂チューブ(T)に右向きの力が作用した場合、樹脂チューブ(T)が抜けることがある。従来のものでは、そのため、スリーブなどの抜け止め用部材を使用することで樹脂チューブ(T)の抜けを防止している。
【００３４】
この実施形態の樹脂チューブ用継手(1)によると、ナット(3)の小径円筒部(22)にテーパ面(24)が設けられているので、ナット(3)を継手本体(2)に締め付けた状態において、テーパ面(24)から樹脂チューブ(T)に作用する垂直抗力は、ナット先端側に向く成分と径方向内側に向く成分とを有している。したがって、ナット先端側に向く成分が樹脂チューブ(T)の抜け防止に寄与することで、樹脂チューブ(T)の抜けが確実に防止される。また、径方向内側に向く成分が樹脂チューブ(T)の共回りを防止することで、樹脂チューブ(T)はこの樹脂チューブ用継手(1)に強固に保持される。
【００３５】
上記において、ナット(3)の小径円筒部(22)のテーパ面(24)のテーパ角度とチューブ装着部(13)の先端側および基端側テーパ面(15)(16)のテーパ角度は、例えば１０〜３０°の範囲内で、それぞれ適宜な値に設定される。
【００３６】
ここで、より好ましくは、ナット(3)の小径円筒部(22)のテーパ面(24)のテーパ角度は、チューブ装着部(13)の先端側および基端側テーパ面(15)(16)のテーパ角度よりも小さくなされる。このようにすることで、ナット(3)の締付けの際、樹脂チューブ(T)に傷が付きにくいものとできる。
【００３７】
一例を挙げると、チューブ装着部(13)の先端側および基端側テーパ面(15)(16)のテーパ角度は、５〜２０°、ナット(3)の小径円筒部(22)のテーパ面(24)のテーパ角度は、５〜１５°、チューブ装着部(13)の先端側および基端側テーパ面(15)(16)のテーパ角度とナットのテーパ面(24)のテーパ角度との差は、０°よりも大きくかつ１０°以下（例えば５°程度）とされる。
【符号の説明】
【００３８】
(1)：樹脂チューブ用継手
(2)：継手本体
(3)：ナット
(12a)：おねじ部
(13)：チューブ装着部
(15)：先端側テーパ面
(17)：円筒面
(21)：大径円筒部
(21a)：めねじ部
(22)：小径円筒部
(24)：テーパ面
(T)：樹脂チューブ
【図１】
0006564631.tif 000002
【図２】
0006564631.tif 000003